(57)【要約】【解決手段】  漏水個所６を有する地面に取水口８を有する柔軟な水密性のシート７を展開し、前記取水口８を前記漏水個所６に一致させ、前記シート７の外周縁を引き上げて漏水個所６の周囲を取り囲むように設置されたフレーム１５に支持し、漏水個所６から漏出した水を容器状のシート７内に貯留する。【効果】  少ない人員と資材で短時間に施工することができ、傾斜を有する地面に漏水している場合においても、確実にパイピングを防止することができる。【選択図】          図２
2011038382.tif 000002
【特許請求の範囲】
【請求項１】
漏水個所（６）を有する地面に取水口（８）を有する柔軟な水密性のシート（７）を展開し、前記取水口（８）を前記漏水個所（６）に一致させ、前記シート（７）の外周縁を引き上げて漏水個所（６）の周囲を取り囲むように設置されたフレーム（１５）に支持し、漏水個所（６）から漏出した水を容器状のシート（７）内に貯留することを特徴とする、堤防の漏水抑止方法
【請求項２】
前記シート（７）の取水口（８）の周縁上に環状のパッキン（９）を載置し、当該パッキン（９）を上方から押圧してシート（７）に圧接せしめることを特徴とする、請求項１に記載の堤防の漏水抑止方法
【請求項３】
前記パッキン（９）が、透水性を有する環状の袋（１３）内に水膨潤性樹脂粉末（１４）を封入した水膨潤体（１２）であることを特徴とする、請求項２に記載の堤防の漏水抑止方法
【請求項４】
前記パッキン（９）上に土嚢（１１）を載置してパッキン（９）をシート（７）に圧接することを特徴とする、請求項２又は３に記載の堤防の漏水防止方法
【請求項５】
前記パッキン（９）上に環状の押え板（１０）を載置し、当該押え板（１０）の上に前記土嚢（１１）を載置したことを特徴とする、請求項４に記載の堤防の漏水抑止方法
【請求項６】
前記パッキン（９）の上に比重の大きい材料よりなる環状の押え板（１０）を載置してパッキン（９）をシート（７）に圧接することを特徴とする、請求項２又は３に記載の堤防の漏水抑止方法
【請求項７】
地面が傾斜している場合において、当該傾斜の上側のシート（７）の外周縁をフレーム（１５）に支持することなく地面に固定することを特徴とする、請求項１に記載の堤防の漏水抑止方法
【請求項８】
前記フレーム（１５）に支持したシート（７）の上部に、シート（７）内に所定水位以上貯留した水を排出する排水管（１９）を設けることを特徴とする、請求項１乃至７のいずれかに記載の堤防の漏水抑止方法
【発明の詳細な説明】
【技術分野】
【０００１】
本発明は、豪雨などによる河川の増水時に、パイピングによる堤防からの漏水を抑止するための方法に関するものである。
【背景技術】
【０００２】
河川１は通常図１に示すように、堤防２により人の居住区域３と区分され、堤防２は通常河川１が増水しても越流することがないだけの高さを有している。そして河川１の水は堤外を流れて堤内に溢出することがないようになっている。
【０００３】
しかしながら堤防２は、長期間のうちに老朽化し、ひび割れ、小動物による穿孔、植物の根の侵入などにより空隙が形成され、増水時にはかかる空隙に水が浸入し、さらに水頭圧によって通水性を有する砂層４を通じて堤内に漏出する水みち５が形成され、かかる水みち５を通じて河川の水が堤内に漏水することがある。
【０００４】
かかる現象はパイピングと呼ばれ、これを放置していると、水みち５内を流れる水によって穿掘が生じて水みち５が拡大し、さらに漏出量が増加することにより穿掘が加速して水みち５が急速に拡がり、最悪の場合には破堤に至る可能性もある。従ってパイピングが生じたときには、その初期に防止策を講じる必要がある。
【０００５】
パイピングを防止する方法として最も一般的に行われているのは、釜段工あるいは月の輪工と呼ばれる工法である。この工法についてはhttp://www.cgr.mlit.go.jp/ctc/tech_dev/topics/suibou/s_syurui09.htm及びリンクに詳細に説明されている。
【０００６】
すなわち漏水個所６の周囲を土嚢で囲み、その土嚢で囲まれた内部に漏出した水を貯留することにより、貯留した水の水頭圧によって漏水の加速を抑止する工法であって、主として平らな地面に漏水する場合に、その周囲を土嚢で環状に囲む工法を釜段工と呼び、堤防の裏法面から漏水する場合に、その漏水個所６を法面に対して土嚢で半月状に囲む工法を月の輪工と呼んでいる。
【０００７】
これらの工法は漏水を完全に阻止するものではなく、単に水みち５内の水の流速を抑制するのみであるが、時間が経過して河川１の増水が解消すれば水みち５内に水の流通は減少し、水に含まれていた土砂が水みち５内に沈澱して漏水は減少し、最終的には水みち５が解消して自然に漏水が止まるのであって、河川１の増水時に一時的に漏水を抑制するだけでも十分に効果がある。
【０００８】
しかしながらこれらの工法においては、これを実施するためには多くの人員を必要とし、また多数の土嚢を用意しなければならないのであって、豪雨などで洪水の危険が迫っているときに、個々の漏水個所にこのように多くの人員と資材を投入することは、極めて困難である。
【０００９】
またこれらの工法を実施するためには、土嚢を積み上げる地面がある程度平らであることが必要である。土嚢は変形可能であるからある程度までは凹凸があっても追従できるが、地面に土嚢が追従し得ないような激しい凹凸や段差があると、土嚢と地面との間の隙間から水が漏出し、パイピングを防止するに十分な水位が得られない。またこれらの凹凸を均すためにはさらに多くの人員や資材を必要とする。
【００１０】
また地面から湧出する水を蓄えるための装置として、特開２００８−１１５６３４号公報に記載されたものがある。この装置は底面に開口を有する容器を湧水個所に置き、容器底面と地面との間を水膨潤体でシールし、湧出した水を容器内に蓄えるものであって、取水装置としての他、前記釜段工の代替として使用することもできる。
【００１１】
しかしながらこの装置においても、地面が容器底面との間を水膨潤体でシールすることができ、且つ容器の底面が貯留された水の水頭圧により地面に密着し得る程度に平らでなければならない。
【００１２】
特にパイピングにより地面に水が湧出して地面を流れると、その流水によって短時間のうちに地面が浸食されて浸食溝を形成する。そのため先に述べた釜段工や月の輪工においても、また前記取水装置においても、その浸食溝を流れる水を止めることはできず、パイピングを確実に防止するのは極めて困難である。
【００１３】
またこれらの方法においては、地面に傾斜があると適用が困難である。前記釜段工又は月の輪工においては、漏水個所に十分な水頭圧を作用させることができるだけの水深を得るためには、傾斜の下側にはさらに土嚢を積み増さなければならず、土嚢を嵩上げすればそれに応じて水圧も高くなるため幅方向にも広くする必要があり、通常の工法におけるよりもさらに多大の人員と資材を必要とする。
【００１４】
また特開２００８−１１５６３４号公報に示された方法では、パイピングが生じた個所にきわめて簡便に防止策を講じることができる反面、地面が傾斜している場合には容器に水が満たされると倒れる可能性があり、特に容器が柔軟な布帛よりなる場合には僅かの傾斜でも耐えることができず、容器が崩れる可能性がある。
【先行技術文献】
【特許文献】
【００１５】
【特許文献１】特開２００８−１１５６３４号工法
【非特許文献】
【００１６】
【非特許文献１】http://www.cgr.mlit.go.jp/ctc/tech_dev/topics/suibou/s_syurui09.htm
【発明の概要】
【発明が解決しようとする課題】
【００１７】
本発明はかかる事情に鑑みなされたものであって、多量の人員や資材を必要とせず、少人数で短時間のうちに確実にパイピングを防止することができ、且つ地面に傾斜がある場合においても容易に施工することのできる堤防の漏水抑止方法を提供することを目的とするものである。
【課題を解決するための手段】
【００１８】
而して本発明は、漏水個所を有する地面に取水口を有する柔軟な水密性のシートを展開し、前記取水口を前記漏水個所に一致させ、前記シートの外周縁を引き上げて漏水個所の周囲を取り囲むように設置されたフレームに支持し、漏水個所から漏出した水を容器状のシート内に貯留することを特徴とするものである。
【００１９】
本発明においては、前記シートの取水口の周縁上に環状のパッキンを載置し、当該パッキンを上方から押圧してシートに圧接せしめることが好ましい。前記パッキンとしては、透水性を有する環状の袋内に水膨潤性樹脂粉末を封入した水膨潤体を使用するのが好ましい。
【００２０】
また前記パッキンを上方から押圧する手段としては、当該パッキン上に土嚢を載置してパッキンをシートに圧接することができる。この場合前記パッキン上に環状の押え板を載置し、当該押え板の上に土嚢を載置することもできる。また他の手段としては、前記パッキンの上に比重の大きい材料よりなる環状の押え板を載置して、パッキンをシートに圧接することもできる。
【００２１】
また本発明を実施するにあたって、地面が傾斜している場合においては、当該傾斜の上側のシートの外周縁をフレームに支持することなく地面に固定することができる。また前記フレームに支持したシートの上部に、シート内に所定水位以上貯留した水を排出する排水管を設けることが好ましい。
【発明の効果】
【００２２】
本発明によれば、柔軟な水密性のシートで地面を覆い、その上に漏出した水を貯留するので、地面に凹凸があったり前述のような浸食溝があっても、シートがその地面の形状に沿うので、漏水個所から漏出した水がシートの下を通って漏れ出すことがなく、確実にシート上に誘導することができる。
【００２３】
またシートの外周縁をフレームに支持して水を貯留するので、地面に傾斜があった場合においてもその傾斜の下側のシートをフレームのより高い位置の支持すればよく、傾斜した地面においても容易に必要な水深を確保することができる。
【図面の簡単な説明】
【００２４】
【図１】堤防にパイピングが生じる状態を模式的に示す断面図。
【図２】本発明を実施する状態の一形態を示す断面図。
【図３】本発明を実施する状態の他の形態を示す断面図。
【図４】本発明においてパッキンとして使用する水膨潤体を示すものであって、（ａ）は斜視図、（ｂ）は中央縦断面図、（ｃ）は膨潤した状態の中央縦断面図である。
【図５】本発明の実施例の状態を示す断面図。
【発明を実施するための形態】
【００２５】
以下本発明を図面に基づいて説明する。図２は本発明を実施する状態の一形態を示すものである。６は水みち５を通じて漏水している漏水個所であって、当該漏水個所６を含む地面に柔軟な水密性のシート７が展開され、当該シート７における前記漏水個所６に相当する位置には取水口８が形成されている。
【００２６】
そして前記シート７における取水口８の周囲の上面に、環状のパッキン９が載置されており、そのパッキン９の上に環状の押え板１０が載置され、当該押え板１０の上にさらに土嚢１１が載置され、これら押え板１０や土嚢１１の重量により押え板１０とシート７との間にパッキン９が挟圧されている。
【００２７】
パッキン９は通常の柔軟な弾性体製のものであっても良いが、図４に示すような水膨潤体１２を使用するのが好ましい。すなわち水膨潤体１２は図４の（ａ）及び（ｂ）に示すように、透水性の紙又は布で作られた環状の袋１３の中に水膨潤性樹脂粉末１４を封入したものであって、これが水に触れることにより前記水膨潤性樹脂粉末１４が膨潤してゲル化し、図４（ｃ）に示すように急速に体積を増すものである。
【００２８】
パッキン９として前記水膨潤体１２を使用することにより、当該水膨潤体１２が体積を増してシート７を地面に押しつけるので、地面に多少の凹凸があってもシート７はその凹凸に沿って地面に密着し、シート７と地面の間から水が漏出するのを有効に防止することができる。
【００２９】
この例においては、パッキン９上に押え板１０を載置し、当該押え板１０上に土嚢１１を載置してパッキン９をシート７に押し付けているが、パッキン９を押圧する手段としてはこれに限るものではなく、パッキン９に直接土嚢１１を載置しても良く、また金属などの比重の大きい材料よりなる押え板１０を使用することにより、土嚢１１を省略して押え板１０のみで押圧することもできる。
【００３０】
そしてシート７の周囲を取り囲んで杭１６と横桟１７とを組み合わせたフレーム１５を形成し、前記シート７の外周縁を引き上げて紐１８などでフレーム１５の上部に支持し、シート７を容器状に形成する。これにより漏水個所６から漏出した水は容器状となったシート７内に貯留されるのである。
【００３１】
また１９は容器状となったシート７の上端部に設置された排水管であって、シート７内に貯留された水を当該排水管１９を通じて外部の適当な個所に排出するようになっている。本発明においてこの排水管１９は必ずしも不可欠ではないが、シート７から溢れ出した水が周囲の地面を侵食することがないように、排水管１９で特定された箇所に排出するのが好ましい。
【００３２】
本発明によれば、シート７は柔軟であって容易に折り畳むことができ、またフレーム１５も細長い杭１６と横桟１７とを組み合わせたものであって場所をとるものではなく、これらの資材はコンパクトに収納できると共に、河川の増水によりパイピングが生じたときには速やかにこれらの資材を現場に持ち込んで施工することができる。
【００３３】
そして取水口８が漏水個所６に一致するようにシート７を展開し、取水口８の周囲にパッキン９、押え板１０及び土嚢１１を設置し、その周囲の地面に杭１６を打ち込んで横桟１７を結合してフレーム１５を組み立て、シート７の周縁を引き上げてフレーム１５に紐１８などで支持することにより作業が完了する。従って少人数で且つ短時間でパイピング防止の処置を行うことができるのである。
【００３４】
また本発明によれば、パッキン９として水膨潤体１２を使用することにより、漏水個所６から漏出した水によって当該水膨潤体１２が膨潤して大幅に体積を増し、押え板１０とシート７との間を確実にシールする。
【００３５】
従って施工前に漏水個所６から流出した水によって浸食溝が形成されている場合など、地面が平滑でない場合においても、漏出した水に触れて水膨潤体１２が膨張することによりシート７が地面に圧接されるので、漏水個所６から流出した水は確実にシート７上に溢れ、シート７と地面との間を通って流出することはなく、またシート７上の水がシート７下に逆流することもない。
【００３６】
そして漏水個所６からシート７上に溢れてきた水は、周縁をフレーム１５に支持されて容器状となったシート７上に貯留される。その貯留状態を確認しつつ必要であればシート７をフレーム１５に支持し直すなどして、シート７上にパイピングを防止し得るに十分な水深を得ることができる。
【００３７】
従って漏水個所６から流出した水はシート７上に確実に貯留され、そこに貯留された水の水頭圧により漏水個所６から水みち５内に圧力がかかり、漏水個所６からの水の漏出を抑えて水みち５内の水流を抑制し、水みち５の穿掘を阻止してパイピングを抑止することができるのである。
【００３８】
一般に漏水個所６に水頭圧を作用させる場合、その水深が５０ｃｍ程度で十分にパイピング防止効果があるとされており、本発明によればシート７の下を通しての流出を確実に防止することにより、その深さを確保することができる。
【００３９】
またシート７上に貯留された水の水頭圧によってシート７は地面に圧接せしめられるため、漏水個所６からの流出を阻止された水がその近傍の弱い個所から漏出しようとした場合においても、地面にシート７を介して作用している水頭圧によってその漏出が抑制され、新たなパイピングを生じることもない。
【００４０】
次に図３は、本発明を実施する状態の他の形態を示すものであって、地面が傾斜している場合を示すものである。すなわち地面が傾斜している場合であっても、図２において説明したのと全く同様にして施工することができ、傾斜の下側のシート７の外周縁をフレーム１５の地表面からより高い位置に支持することにより、漏水個所６の位置に十分な水頭圧を作用させることができる。
【００４１】
またシート７とフレーム１５とにより水を貯留するので、釜段工法におけるように土嚢を必要以上に高く積み増す必要がなく、また前記公報に示された容器のように傾斜によって容器が倒れたり崩れたりする恐れもない。
【００４２】
また傾斜地において施工する場合、図２の例と全く同様に施工することもできるが、図３に示すように、シート７の傾斜の下側及び両側部の周縁のみをフレーム１５に支持し、傾斜の上側の周縁はフレーム１５に支持することなく、地面に沿わせた状態のままで杭など適宜の手段で地面に固定することができる。
【実施例１】
【００４３】
本発明の効果を確認するために、図５に示す地盤を構築した。すなわちコンクリートのプールの床面２０上に木製の枠体２１を設置し、その枠体２１内に下から順にローム層２２、川砂層２３及びローム層２４を積層し、そのローム層２４上に山砂により堤体２５及び傾斜面２６を構築した。そして川砂層２３の先端はローム２７で閉塞し、後端は枠体２１に連通せしめた。なお各部の寸法は図面に示すとおりである。
【００４４】
すなわち、不透水性のローム層２２、２４の間に透水性の川砂層２３が挟まれた状態の基礎地盤の上に堤体２５が構築された状態であって、河川を想定した枠体２１から川砂層２３に水みちができた状態を想定している。
【００４５】
そして傾斜面２６におけるローム層２４の上面からの高さが４５ｃｍとなる位置に直径２０ｃｍの穴２８を掘削し、当該穴２８の先端を前記ローム層２４の厚さのほぼ中間付近に至らしめた。
【００４６】
この状態で後部の枠体２１の上端から、貯水タンク２９から水を注入し、枠体２１内の水位をほゞ堤体２５の上端に維持した。これによって注入された水は枠体２１から川砂層２３に浸透し、穴２８の底においてパイピングの前兆現象とされるボイリングが生じ、さらにローム層２４が破壊されてパイピングが生じ、穴２８から水が流出して傾斜面２６を流下した。
【００４７】
この状態で本発明の漏水抑止工法を実施した。すなわち傾斜面２６上に取水口８を穿設したシート７を展開し、当該シート７の取水口８の周囲に水膨潤体１２よりなるパッキン９を載置し、当該パッキン９上に環状の押え板１０及び土嚢１１を載置した。シート７としては樹脂コーティングをした基布を使用した。
【００４８】
次いでシート７の外周付近に杭１６を打ち込み、その杭１６に横桟１７を組み合わせてフレーム１５を形成し、シート７の外周縁を引き上げてフレーム１５の上部に紐１８で吊り下げ、シート７を容器状に形成してその中に水を貯留せしめた。工法を実施するに要した人員は２名、時間は約２３分であった。
【符号の説明】
【００４９】
６  漏水個所
７  シート
８  取水口
９  パッキン
１０  押え板
１１  土嚢
１２  水膨潤体
１３  袋
１４  水膨潤性樹脂粉末
１５  フレーム
１９  排水管
【図１】
2011038382.tif 000003
【図２】
2011038382.tif 000004
【図３】
2011038382.tif 000005
【図４】
2011038382.tif 000006
【図５】
2011038382.tif 000007